(57)【要約】【課題】携帯端末で、ある表示から提供されたＵＲＬアドレス情報のＷｅｂサイトに容易かつ速やかにアクセスできることを目的とする。【解決手段】本発明のＷｅｂサイトアクセスシステムは、ＷｅｂサイトのＵＲＬアドレス情報の表示および前記ＵＲＬアドレス情報のみを無線送信する送信手段２を有するＷｅｂサイト表示装置１と、前記送信手段２から送信される前記ＵＲＬアドレス情報を受信記憶する携帯端末４とを具備することにより所期のＷｅｂサイトに容易かつ速やかにアクセスできる。【選択図】　図１
2004094843.tif 000002
【特許請求の範囲】
【請求項１】
ＷｅｂサイトのＵＲＬアドレス情報の表示および前記ＵＲＬアドレス情報のみを無線送信する送信手段を有するＷｅｂサイト表示媒体と、
前記送信手段から送信される前記ＵＲＬアドレス情報を受信記憶する携帯端末とを、
具備することを特徴とするＷｅｂサイトアクセスシステム。
【請求項２】
前記送信手段は、微弱もしくは小出力の電波によって前記ＵＲＬアドレス情報を送信することを特徴とする請求項１記載のＷｅｂサイトアクセスシステム。
【請求項３】
前記送信手段は、微弱もしくは小出力の電波を指向性アンテナによって前記ＵＲＬアドレス情報を送信することを特徴とする請求項１記載のＷｅｂサイトアクセスシステム。
【請求項４】
前記送信手段は、赤外線によって前記ＵＲＬアドレス情報を送信することを特徴とする請求項１記載のＷｅｂサイトアクセスシステム。
【請求項５】
前記送信手段は、超音波によって前記ＵＲＬアドレス情報を送信することを特徴とする請求項１記載のＷｅｂサイトアクセスシステム。
【請求項６】
前記送信手段は、電磁誘導効果によって前記ＵＲＬアドレス情報を送信することを特徴とする請求項１記載のＷｅｂサイトアクセスシステム。
【請求項７】
前記送信手段は、前記ＵＲＬアドレス情報が表示された表示エリアの上又はその近傍に設けられることを特徴とする請求項１記載のＷｅｂサイトアクセスシステム。
【請求項８】
前記携帯端末は、無線もしくは有線の公衆網を経由して前記ＵＲＬアドレス情報のＷｅｂサイトにアクセスすることを特徴とする請求項１記載のＷｅｂサイトアクセスシステム。
【請求項９】
前記携帯端末は、ＬＡＮ回線を経由して前記ＵＲＬアドレス情報のＷｅｂサイトにアクセスすることを特徴とする請求項１記載のＷｅｂサイトアクセスシステム。
【請求項１０】
前記送信手段は、前記携帯端末から送信要求が有るときのみ、ＵＲＬアドレス情報を送信することを特徴とする請求項１乃至７項いずれか１項記載のＷｅｂサイトアクセスシステム。
【請求項１１】
前記Ｗｅｂサイト表示媒体は、室内掲示板又は屋外掲示板であることを特徴とする請求項１記載のＷｅｂサイトアクセスシステム。
【請求項１２】
前記Ｗｅｂサイト表示媒体は、室内表示装置又は屋外表示装置であることを特徴とする請求項１記載のＷｅｂサイトアクセスシステム。
【請求項１３】
前記Ｗｅｂサイト表示媒体は、河川の水量、又は気象データ等の情報を表示、利用する設備または装置であることを特徴とする請求項１１又は請求項１２記載のＷｅｂサイトアクセスシステム。
【請求項１４】
前記Ｗｅｂサイト表示媒体は、交通情報設備であることを特徴とする請求項１１又は請求項１２記載のＷｅｂサイトアクセスシステム。
【請求項１５】
ＷｅｂサイトのＵＲＬアドレス情報のみを送信する手段を有するＷｅｂサイト表示媒体から伝送される前記ＵＲＬアドレス情報を受信し、内部メモリに記憶することを特徴とする携帯端末。
【発明の詳細な説明】
【０００１】
【発明の属する技術分野】
本発明はインターネットのＷｅｂサイトアクセスシステムおよびそのシステムに用いられる携帯端末に関する。
【０００２】
【従来の技術】
従来、例えば天気予報等を高速道路のサービスエリアや駅の待合室又はその周辺等に設置されたテレビ画面等を用いて各種の情報提供サービスが行われている。このようなサービスでは、１画面で表示できる情報は限度があり、更に詳細な情報の取得を希望する利用者のために、例えば当該地域の詳細な気象情報や近隣地域の天気予報、交通状況などの情報を提供するためのＷｅｂサイトのＵＲＬアドレス情報を画面上等に表示したり、音声アナウンスで紹介している。
【０００３】
従来は、例えば、携帯電話を接続したパーソナルコンピュータや個人情報端末（ＰＤＡ）等の携帯端末でそのＷｅｂサイトをアクセスする場合、そのＵＲＬアドレスをキーボード等から手入力するか、予め内部メモリに入力・記憶した、そのＵＲＬアドレスを探し出してそのＷｅｂサイトへアクセスしていた。
【０００４】
図５は、従来の表示案内等の装置・設備が表示する情報に関連するインターネットのＷｅｂサイトのＵＲＬアドレスを表示し、インターネットのＷｅｂサイトから情報提供を行うシステムの１例の構成を表したブロック図である。
【０００５】
以下、図５により従来のインターネットのＵＲＬアドレス情報を活用した情報表示システムの構成と動作を説明する。
【０００６】
図５において、表示装置１００は、サーバ等の記憶装置１１０に蓄積している高速道路の交通情報を表示し、その画面１００ａに高速道路沿線の天気予報を提供するＷｅｂサーバ５００のＵＲＬアドレスを表示している。（例えば、ｈｔｔｐ：／／ｗｗｗ．ｘｘｘｘｘ．ｏｒ．ｊｐ）
【０００７】
この天気予報を閲覧するために、パーソナルコンピュータ４００ａに携帯電話機３００を接続した構成からなる携帯端末４００を用いている。そして、表示装置１００に表示されたＵＲＬアドレスのＷｅｂサイトから天気予報を閲覧するには、携帯電話機３００で電話・公衆網４０１にダイヤルアップしてインターネット４０２のアクセスポイントに接続する。
【０００８】
次に、インターネット４０２に接続されたＷｅｂサーバ５００のＵＲＬアドレスを、パーソナルコンピュータ４００ａのブラウザ画面に表示されたＵＲＬ入力ウィンドウに一文字づつ、（例えば、ｈｔｔｐ：／／ｗｗｗ．ｘｘｘｘｘ．ｏｒ．ｊｐ）と十数文字以上のＵＲＬアドレスを入力しなければならず、その入力操作に手間取っていた。
【０００９】
【発明が解決しようとする課題】
携帯端末でインターネットのＷｅｂサイトを利用した情報提供サービスを利用するには、上記の様にＵＲＬアドレスを携帯端末に手入力するか、予め携帯端末に記憶させた当該ＵＲＬアドレスを探し出してそのＷｅｂサイトへアクセスしていた。そのため手入力の際に、時間がかかるのみならずＵＲＬアドレスの誤入力が生じたり、また予め必要なＵＲＬアドレスを入力、記憶して利用する場合でも、そのＵＲＬアドレスをリストから探し出すのに手間取って、速やかに当該Ｗｅｂサイトへアクセスできない問題があった。
【００１０】
本発明は上記問題を解決するためになされたもので、携帯端末で、Ｗｅｂサイト表示媒体から提供されたＵＲＬアドレスのＷｅｂサイトに容易かつ速やかにアクセスできるＷｅｂサイトアクセスシステムおよび携帯端末を提供することを目的とする。
【００１１】
【課題を解決するための手段】
上記目的を達成するために、本発明のＷｅｂサイトアクセスシステムは、ＷｅｂサイトのＵＲＬアドレス情報の表示および前記ＵＲＬアドレス情報のみを無線送信する送信手段を有するＷｅｂサイト表示媒体と、前記送信手段から送信される前記ＵＲＬアドレス情報を受信記憶する携帯端末とを具備することを特徴とする。
【００１２】
【発明の実施の形態】
以下、図面を参照して本発明の実施の形態を説明する。
【００１３】
（第１の実施の形態）
図１は、本発明のＷｅｂサイトアクセスシステムに係わる第１の実施の形態の構成を示すブロック図である。
【００１４】
図１に示す例は、高速道路のサービスエリアで交通情報を提供しており、高速道路の交通情報等を大型のディスプレイを用いて表示する表示装置１、その画面１ａ、表示装置１に付属してＵＲＬアドレス情報を例えばブルートゥース（ＴＭ）で送信する送信器２、表示装置１を接続するネットワーク３、携帯端末４、Ｗｅｂサーバ５、交通情報を蓄積するサーバ等の記憶装置６、電話・公衆網７、およびインターネット８からＷｅｂアクセスシステムが構成されている。
【００１５】
なお、ネットワーク３、電話・公衆網７、インターネット８は別々に表示したが一つのネットワークで構成してもよい。
【００１６】
携帯端末４はＷｅｂ表示機能を有する携帯電話機であり、近短距離の通信を行うブルートゥース（ＴＭ）モジュールが内蔵されている。
【００１７】
大型の表示装置１は、高速道路のサービスエリアで当該路線の混雑状態、規制等の交通情報を画面１ａに表示している。この画面１ａに表示される交通情報は交通情報を蓄積する記憶装置６からネットワーク３を介して、表示装置１に最新の情報が伝送されている。
【００１８】
交通情報等の表示情報の記憶装置６は、上記の例ではサーバ等の専用の独立した記憶装置６としているが、インターネット８に接続された情報提供用Ｗｅｂサーバ５と兼用するか、あるいはインターネット８に接続された他の第３者が運用するＷｅｂサーバ（図示せず）を用いている構成にしても良い。
【００１９】
表示装置１の画面１ａで表示される一画面の表示情報は、例えば一画面に表示可能な当該地域や路線の情報に限られており、異なった高速道路路線の混雑状況や、天気予報等は表示されない。
【００２０】
本発明のＷｅｂアクセスシステムでは、その表示されていない地域の交通情報等はＷｅｂサーバ５に蓄積され、そのＵＲＬアドレス１ｂを表示装置１の画面もしくは、その表示装置１に取付けられた文字パネル等で表示・紹介し、インターネットで当該情報等を蓄えたＷｅｂサーバ５にアクセスできる様になっている。
【００２１】
図２は、携帯端末４の内部構成を示したブロック図である。
【００２２】
携帯端末４は、ブルートゥース（ＴＭ）モジュール４１、メモリ４２、ＣＰＵ４３、キーボタン４４、取込みキー４４ａ、呼出キー４４ｂ、アクセスキー４４ｃ、ディスプレイ（ＬＣＤ等）４５、ＮＣＵ（Ｎｅｔｗｏｒｋ　ＣｏｎｔｏｒｌＵｎｉｔ：網制御装置）・無線送受信回路４６、および音声処理回路４７等から構成され、これらの各構成要素の動作はＣＰＵ４３により監視・制御される。
【００２３】
表示装置１に取りつけられた送信器２は、Ｗｅｂサーバ５のＵＲＬアドレス１ｂを表示装置１の近傍のみで通信可能となるように小電力出力で通信を行うブルートゥース（ＴＭ）方式で送信する。
【００２４】
このＵＲＬアドレス情報は、常時繰り返して小電力の電波で送信器２から送信されているので、その表示装置１に携帯端末４が近付くと、この電波を携帯端末４が内蔵したブルートゥース（ＴＭ）モジュール４１が受信する。
【００２５】
ＣＰＵ４３は、ブルートゥース（ＴＭ）モジュール４１がＵＲＬアドレス１ｂを受信したことを検出すると、ＵＲＬアドレス１ｂを受信中であることをディスプレイ４５に表示させる。
【００２６】
そして、本発明では、携帯端末４にＵＲＬアドレス１ｂを取込む為の専用キーとして、例えば「ＳＴＯ」とマークされた取込みキー４４ａが設けられており、この取込みキー４４ａを押すことによりＣＰＵ４３は、受信中のＵＲＬアドレス１ｂをメモリ４２に取り込むよう制御すると同時に、取込んだＵＲＬアドレス１ｂ、もしくはそのＵＲＬアドレス１ｂの短縮表示等をディスプレイ４５に表示させる。
【００２７】
また、携帯端末４には、この取込んだＵＲＬアドレス１ｂを呼び出す為の、例えば「ＲＣＬ」とマークされた専用の呼出キー４４ｂが設けられている。つまり、取込んだＷｅｂサイトに直ぐにアクセスしない時は、更にその次に受信したＷｅｂサイトのＵＲＬを受信した時に取込みキー４４ａを押すと、そのＵＲＬアドレスは、メモリ４２に前回取込んだＵＲＬアドレス１ｂと共に記憶保持される。
【００２８】
このメモリ４２に記憶保持されるＵＲＬアドレス数は、最大の設定数、例えば１０個まで順に記憶され、呼出キー４４ｂを押す毎に順繰りにそのＵＲＬアドレスがディスプレイ４５に表示されるので、ＵＲＬアドレス１ｂが表示された時に後述のアクセスキー４４ｃを押すと、携帯端末４ｃは、そのＷｅｂサイトにアクセスを行なうよう動作する。
【００２９】
携帯端末４には、この取込んだＵＲＬアドレス１ｂのアドレスを持つＷｅｂサイトにアクセスする時に押す、例えば「Ｗｅｂ」とマークされたアクセス専用のアクセスキー４４ｃがあり、そのアクセスキー４４ｃを押すだけの動作で、携帯端末４が受信し取込んだＵＲＬアドレス１ｂのデータを使い、自動的にＷｅｂサーバ５にアクセスして、即座に必要な交通情報を表示するＷｅｂ画面を閲覧できるようにしている。
【００３０】
即ち、携帯端末４のＷｅｂアクセスキー４４ｃが押されると、携帯端末４（携帯電話機）は、ＮＣＵ・無線送受信回路４６により電話・公衆回線７に接続するための自動的にダイヤル発信を行い、この携帯端末４に設定されているインターネットのアクセスポイントとの接続を開始する。
【００３１】
そして、ＣＰＵ４３は、そのアクセスポイントと携帯電話との接続が完了したことを検知すると、ＣＰＵ４３は更に、メモリ４２が記憶している当該ＵＲＬアドレスのＷｅｂサーバ５にアクセスする。
【００３２】
携帯端末４が、インターネット８に接続されている目的のＷｅｂサーバ５へのアクセスに成功すると、携帯電話機のＷｅｂ表示機能によって、目的の情報を得る為のＷｅｂページの画面が表示される。
【００３３】
なお、携帯端末４でＵＲＬアドレスをアクセスするために用いるそれぞれのキーボタンは、上記説明では取込みキー４４ａ、呼出キー４４ｂ、アクセスキー４４ｃの様に独立して設けられたキーボタンを使用する例を説明したが、このように独立した専用キーボタンでなく、携帯電話が通常具備している種類のキーボタンを組合せて、例えば、Ｆ０１０のように、Ｆ（機能）キーと数字やマーク等を用いて専用のキーボタン操作と代替しても良い。
【００３４】
（第２の実施の形態）
また、本発明の第２の実施の形態として図３にその構成のブロック図を示す。
【００３５】
図３は、図１における携帯電話を用いた携帯端末４の代わりに例えば、ブルートゥース（ＴＭ）モジュールの様な近短距離で無線通信を行うインタフェース回路等を搭載したパーソナルコンピュータ（例えばＰＤＡ）を携帯端末４ｃとして利用し、また携帯端末４ｃがインターネットと接続するための無線ＬＡＮ９が、図１で示された構成に加えられているＷｅｂアクセスシステムの構成を示している。
【００３６】
また図３は、携帯端末４ｃについても無線ＬＡＮモジュール４８が追加されているほか、第１の実施の形態で使用される携帯端末１より更に拡張性を持たせるため内部構成・機能に小変更があることを示している。
【００３７】
即ち図３では、携帯端末４ｃは、近短距離で通信を行うブルートゥ−ス（ＴＭ）以外の方式で通信する方式を含むため近短距離で通信を行なう構成要素として近傍通信モジュール４１ａ、また無線と有線のどちらの電話網にも接続を可能とするため、無線ＬＡＮモジュール４８およびＮＣＵモジュール４６ａを備えた構成としている。
【００３８】
この携帯端末４ｃとして機能するパーソナルコンピュータは、携帯電話、ＰＨＳを用いた電話・公衆網への接続機能、もしくは無線ＬＡＮ等の通信手段を内蔵し、インターネットに接続できる構成、機能を備えるものである。
【００３９】
図４は、図３に示された携帯端末４ｃにパーソナルコンピュータを用いている携帯端末４ｃの構成要素を示すブロック図である。
【００４０】
図４に示される携帯端末４ｃは、近傍通信モジュール４１ａ（例えば、ブルートゥース（ＴＭ）モジュール）、メモリ４２ａ、ＣＰＵ４３ａ、キーボード４４ｋ、ディスプレイ（液晶パネル、ＬＥＤ等による）４５ａ、ＮＣＵモジュール４６ａ、音声処理回路４７ａ、無線ＬＡＮモジュール４８ａ、およびソフトウェアモジュール４９から構成され、これらの各構成要素の動作はＣＰＵ４３ａにより監視・制御される。
【００４１】
近傍通信モジュール４１ａは、近短距離で通信を行うためのインタフェース回路であって、例えば、ブルートゥース（ＴＭ）モジュール、赤外線通信モジュール、超音波通信モジュール、また電磁誘導効果による通信を行なうモジュールなどがこれに該当する。
【００４２】
ＮＣＵモジュール４６ａは、一般の有線の電話・公衆網と接続する場合にはモデムが該当する。また、携帯電話もしくはＰＨＳにより電話・公衆網と接続する場合には、パーソナルコンピュータからのデジタル信号を、携帯電話機もしくはＰＨＳ電話機に変換してと仲介接続する変換接続モジュールが該当する。
【００４３】
これに加えてＰＨＳを利用する場合には、ＰＨＳの電話・公衆網に接続するためパーソナルコンピュータに挿入されるＰＨＳデータ通信カードなどもＮＣＵモジュール４６ａに用いても良い。
【００４４】
音声処理回路４７ａは、パーソナルコンピュータに内蔵される音声信号処理回路で、音声ガイド等が有るＷｅｂサイトを閲覧した場合に動作する。
【００４５】
無線ＬＡＮモジュール４８は、パーソナルコンピュータに内蔵もしくは挿入されるＬＡＮ機能を有するインタフェース回路である。また、ケーブルを用いた一般のＬＡＮカードやＬＡＮモジュールもＴＣＰ／ＩＰ手順のインタフェース機能を無線ＬＡＮカード同様具備しており、パーソナルコンピュータからみると有線、無線の差は無視できる。したがって一般のケーブルを用いたＬＡＮカードおよびＬＡＮモジュールについては無線ＬＡＮモジュールの呼称に含ませることとする。
【００４６】
ソフトウェアモジュール４９は、更にパーソナルコンピュータのＯＳ（オペレーティング　システム）４９ａ、近傍通信また無線ＬＡＮ等のネットワーク制御またＮＣＵモジュール４６ａならびにパーソナルコンピュータに接続されたモデム等の通信制御を行う手段の通信制御プログラム４９ｂ、通信制御プログラム４９ｂを介して取得したデータをタッチパネル、キーボードおよびマウス等からの入力情報としてエミュレートする手段のエミュレータ４９ｃ、およびＷｅｂ閲覧のための手段ブラウザ４９ｄ等のソフトウェアから構成される。
【００４７】
なお、これらのソフトウェアは、機能を明示するため便宜的に複数の項目として分離したが、パーソナルコンピュータに搭載するソフトウェアとしては、一体化ないし、適宜統合されたソフトウェアないしプログラムとした構成であっても良い。
【００４８】
上記の様に構成された第２の実施の形態では、電話・公衆網７を利用するインターネット８への接続は、ＮＣＵモジュール４６ａにより、モデムを介して電話・公衆網７に接続するか、携帯電話を接続してインターネット８のアクセスポイントにダイヤルアップ接続を行う。
【００４９】
パーソナルコンピュータを用いた携帯端末４ｃでは、インターネット８への接続手段は電話・公衆網７を介して行う手段に加えて、ＴＣＰ／ＩＰ手順を実行するインタフェース機能・回路等を設けて、ＬＡＮ回線を介して、インターネット８に接続する手段を有しているので、適宜インターネット８への接続手段、方法を選択すれば良い。
【００５０】
インターネットと無線ＬＡＮの接続手順や方法については、ＩＥＥＥ８０２．１１ｂ等の標準規格があるので詳細な説明を省略するが、携帯端末４ｃから無線ＬＡＮ９を介してＷｅｂサーバ５に接続する場合を例に、本発明の第２の実施形態によるＷｅｂアクセスシステムの動作を説明する。
【００５１】
例えば、高速道路のサービスエリアで、無線ＬＡＮ９によるホットスポットサービスが行われている場合の動作は以下の通りである。
【００５２】
携帯端末４ｃ（パーソナルコンピュータ）は、送信器２から送信されたＷｅｂサ−バ５のＵＲＬアドレス１ｂを受信すると、通信制御プログラム４９ｂにより無線ＬＡＮモジュール４８を制御して、当該サービスエリアのスポットサービスが提供する無線ＬＡＮ９のアクセスポイントと通信し、インターネット８のＷｅｂサーバ５に接続される。そしてブラウザ４９ｄによりＷｅｂサ−バ５が提供する情報を閲覧出来るようになる。
【００５３】
即ち、表示装置１に取付けられた送信器２は、近短距離で無線通信を行う為に例えば、ブルートゥース（ＴＭ）方式で所定のＷｅｂサイト（Ｗｅｂサーバ５）のＵＲＬアドレス１ｂを常時送信している。その表示装置１に近傍通信モジュール４１ａとしてブルートゥース（ＴＭ）モジュールを搭載した携帯端末４ｃが近付くと、この電波を受信すると共に、ブルートゥース（ＴＭ）モジュールの動作を監視制御する通信制御プログラム４９ｂが受信したＵＲＬアドレス１ｂをＣＰＵ４３に通知する。
【００５４】
するとＣＰＵ４３ａは、通信制御プログラム４９ｂによりＵＲＬアドレスを受信したことをディスプレイ４５ａに表示させる。そして、このＷｅｂサイトのＵＲＬアドレス１ｂを取込むために、取込みコマンドとして例えば、キーボード４４ｋから「Ｓ」、「Ｔ」、「Ｏ」と入力して「Ｅｎｔｅｒ」キーを押下げる。
【００５５】
これにより、通信制御プログラム４９ｂは、メモリ４２ａにそのＵＲＬアドレス１ｂを取りこみ、ＵＲＬアドレスをディスプレイ４５ａに表示させる。
【００５６】
このＵＲＬアドレス１ｂのＷｅｂサイトにアクセスするには、アクセスコマンドとして例えば、キーボード４４ｋから「Ｗ」、「Ｅ」、「Ｂ」と入力して「Ｅｎｔｅｒ」キーを押下げる。
【００５７】
このコマンドが入力されるとＣＰＵ４３は、エミュレータ４９ｃを駆動し、先に取込んだメモリ４２ａに記憶されているＵＲＬアドレス１ｂのアドレス、例えば、「ｈｔｔｐ：／／ｗｗｗ．ｘｘｘｘｘ．ｏｒ．ｊｐ」をキーボードから手入力したのと同様にエミュレートしてブラウザ４９ｄに入力する。
【００５８】
もし、ＵＲＬアドレス１ｂを取込んでも直ちに、Ｗｅｂサイトにアクセスしなければ、次に取込みたいＵＲＬアドレスを受信した時に、前回のＵＲＬアドレスを取込んだときと同様にキーボード４４ｋから「Ｓ」、「Ｔ」、「Ｏ」と入力して「Ｅｎｔｅｒ」キーを押下げる。
【００５９】
すると、ＣＰＵ４３は、通信制御プログラム４９ｂによりメモリ４２ａに新たに受信したＵＲＬアドレスを取りこみ、このＵＲＬアドレスをディスプレイ４５ａに表示させる。
【００６０】
このメモリ４２ａに記憶保持されるＵＲＬアドレス数は、最大の設定数、例えば１０個まで順に記憶される。そして、後に、希望するＷｅｂサイトにアクセスをしたい時、呼出コマンドとして例えば、キーボード４４ｋの「Ｒ」、「Ｃ」、「Ｌ」と入力して「Ｅｎｔｅｒ」キーを押下げる。
【００６１】
すると、メモリ４２ａに記憶されたＵＲＬアドレス１ｂが表示され、例えばキーボード４４ｋの「↓」キーを押下げる毎に順繰りにそのＵＲＬアドレスがディスプレイ４５に表示されるので、アクセスを希望するＵＲＬアドレス１ｂが表示された時にキーボード４４ｋの「Ｅｎｔｅｒ」キーを押下げる。
【００６２】
この入力があるとＣＰＵ４３は、エミュレータ４９ｃを駆動し、先に取込んだメモリ４２ａに記憶されているＵＲＬアドレス１ｂのアドレス、例えば、「ｈｔｔｐ：／／ｗｗｗ．ｘｘｘｘｘ．ｏｒ．ｊｐ」の文字をキーボード４４ｋから手入力したのと同様にエミュレートしてブラウザ４９ｄに入力する。
【００６３】
そして、引き続き携帯端末４ｃは、そのＷｅｂサイトにアクセスする動作を行なう。
【００６４】
即ち、携帯端末４ｃでは、上記のアクセスコマンドによりブラウザ４９ｄにＵＲＬアドレス１ｂの入力が行われると、ブラウザ４９からのアクセス要求が通信制御プログラム４９ｂに通知され、ＣＰＵ４３は、通信制御プログラム４９ｂにより無線ＬＡＮモジュール４８を起動する。
【００６５】
そして無線ＬＡＮ９を介してインターネット８に接続されているＷｅｂサーバ５にアクセスが行われ、携帯端末４ｃとＷｅｂサーバ５との接続が完了して、Ｗｅｂサーバ５から所望の交通情報等を取得する。
【００６６】
なお、上記説明では、無線ＬＡＮを用いて動作を説明したが、一般のＬＡＮのインタフェースを用いても上記のＷｅｂへのアクセス動作は同一であるので、一般の有線のＬＡＮを用いても良い。
【００６７】
また、無線ＬＡＮ９経由ではなく、携帯電話もしくはＰＨＳ等を用いて電話・公衆網７によりインターネット８との接続を行う場合は、前記のＮＣＵモジュール４６ａ（モデム）が持つダイヤルアップ機能を利用する。
【００６８】
その場合、ＵＲＬアドレス１ｂに対する接続コマンドを入力した後に、ダイヤルアップが行われ、電話・公衆網７のアクセスポイントを経由して同様にインターネット８に接続されて、Ｗｅｂサーバ５の内容が閲覧可能になる。
【００６９】
なお、上記説明では取込み、呼出、接続のコマンドの入力にキーボード４４ｋを用いる例を示したが、これらのコマンド入力は、キーボード４４ｋによる入力に限られることは無く、ディスプレイ４５の表示画面上に、取込み、呼出、接続の表示エリヤを設け、当該箇所をポインタ指示とマウス等により指定する等その他の方式を用いても良い。
【００７０】
次に、本発明の実施の形態に関わり各種の応用範囲について補足する。
【００７１】
携帯端末４（もしくは４ｃ）は、Ｗｅｂサーバ５と接続した状態で、そのディスプレイ４５（もしくは４５ａ）に表示されたＷｅｂ画面の設定に従い、ＣＲＴディスプレイ等を用いた表示装置１の表示している内容例えば項目等の変更を制御できるようにしても良い。この場合、携帯端末４、（もしくは４ｃ）から制御信号をＷｅｂサーバ５とインターネット８を経由し送受信する。
【００７２】
また、本説明では、室内又は屋外に設置される表示装置１にＣＲＴディスプレイ等を用いた交通情報提供システムの例を挙げたが、必ずしも表示装置１は電気的に動作するものに限られず、室内又は屋外の掲示板等であっても良い。
【００７３】
例えば、美術館の展示等では、絵画が表示装置１に相当し、その展示された絵画に例えば、ブルートゥース（ＴＭ）方式の送信器を組合せてその絵画を説明しているＷｅｂサーバのＵＲＬアドレス情報を送信し、携帯端末４、もしくは４ｃから当該Ｗｅｂサーバをアクセスするようにしても良い。
【００７４】
また、店舗の広告パネル、掲示板等に送信器を取付けて商品説明や広告情報を提供するＷｅｂサイトのＵＲＬアドレス情報を送信しても良い。
【００７５】
同様に、道路脇のビルや、広告展示建造物等のパネル表示、掲示板等に、送信器を取付けて広告や諸案内等の情報を提供するＷｅｂサイトのＵＲＬアドレス情報を送信しても良い。
【００７６】
更に、このＷｅｂアクセスシステムを監視制御システムに利用するような場合、任意の監視点毎（例えば、河川の水量測定や気象測定装置や交通量を測定する交通監視装置等）に、近傍通信の送信器を置き、所要のＵＲＬアドレス情報を送信して、その監視点での監視項目や注意点等関連する諸情報を携帯端末が閲覧できる様にする。
【００７７】
この場合、送信器が設置された位置のみを示し、表示装置自体を削除した構成として閲覧は携帯端末からのみ可能とすることによって、望ましくない第三者がＷｅｂサイトを閲覧できないようにしても良い。
【００７８】
一方、Ｗｅｂサーバ５についても、自らが管理するものでなく外部の第三者が運用するＷｅｂサーバ（図示せず）のＵＲＬアドレス情報を提供し、その表示に関する情報を提供に利用しても良い。
【００７９】
更に、本発明のＵＲＬアドレス情報を送信する近短距離の通信を行う手段について、第１、第２の実施の形態では、ＵＲＬアドレス情報を送信する手段をブルートゥース（ＴＭ）で代表して説明したが、その他の微弱電波を用いる方法もしくは、電磁誘導効果や超音波や赤外線等を用いた通信等の電気・磁気的乃至光学・音響的方法により、ＵＲＬアドレス情報を携帯端末へ送信し、当該携帯端末がＵＲＬアドレスを文字毎に入力せずに、Ｗｅｂサーバにアクセスできる方式であれば、いずれのＵＲＬアドレス情報を送信する方式でも良い。
【００８０】
特に電波をＵＲＬアドレス情報を伝送する媒体に使用する場合、指向性アンテナを用いることにより、電波の到達区域や範囲を調整すると、複数の表示があるとき干渉や混信を防ぐのに有効である。
【００８１】
更にまた、ＵＲＬアドレス情報の送信は、送信器から常時送信する方式のほか、例えば、送信器に押しボタンスイッチ（図示せず）を設けて、押しボタンスイッチを押したときのみ送信器がＵＲＬアドレス情報を送信するか、もしくは携帯端末が内蔵する近傍通信手段により、送信器へ送信要求を送った時のみ送信器がＵＲＬアドレス情報を送信するようにしても良い。
【００８２】
また、送信器の取付け位置としてＵＲＬアドレス情報が表示されたエリアの上又はその近傍に設けても良い。
【００８３】
【発明の効果】
以上述べたように、本発明によればＵＲＬアドレス情報が表示されたＷｅｂサイトにアクセスする時、携帯端末に当該ＵＲＬアドレスを一文字毎に手入力をすることなく自動的に携帯端末がＵＲＬアドレス情報を取得し、容易かつ速やかに所期のＷｅｂサーバにアクセスすることができる。
【図面の簡単な説明】
【図１】本発明によるＷｅｂサイトアクセスシステムの第１の実施の形態の構成の一例のブロック図。
【図２】携帯端末に用いる携帯電話機のブロック図。
【図３】本発明によるＷｅｂサイトアクセスシステムの第２の実施の形態の構成の一例のブロック図。
【図４】携帯端末にパーソナルコンピュータを用いた携帯端末の構成のブロック図。
【図５】従来のＷｅｂサイトアクセスシステムの一例の構成ブロック図。
【符号の説明】
１　表示装置
１ａ　画面
１ｂ　ＵＲＬアドレス
２　送信器
３　ネットワーク
４、４ｃ　携帯端末
５　Ｗｅｂサーバ
６　記憶装置
７　電話・公衆網
８　インターネット
９　無線ＬＡＮ網
４１　ブルートゥース（ＴＭ）モジュール
４１ａ　近接通信モジュール
４２、４２ａ　メモリ
４３、４３ａ　ＣＰＵ
４４　キーボタン
４４ａ　取込みキー
４４ｂ　呼出キー
４４ｃ　アクセスキー
４４ｋ　キーボード
４５、４５ａ　ディスプレイ
４６　ＮＣＵ・無線送受信回路
４６ａ　ＮＣＵモジュール
４７、４７ａ　音声処理回路
４８ａ　無線ＬＡＮモジュール
４９　ソフトウェアモジュール
４９ａ　ＯＳ（オペレーティング　システム）
４９ｂ　通信制御プログラム
４９ｃ　エミュレータ
４９ｄ　ブラウザ
【図１】
2004094843.tif 000003
【図２】
2004094843.tif 000004
【図３】
2004094843.tif 000005
【図４】
2004094843.tif 000006
【図５】
2004094843.tif 000007